(57)【要約】【課題】商品陳列の演出効果を高めることが可能な商品陳列台を提供する。【解決手段】商品を載置可能な上面を有する陳列台本体と、陳列台本体の下面に取り付けられる回転盤とを備え、陳列台本体は、長手方向の一端部に向かって先細りとなる方向に傾斜する第１傾斜辺及び第２傾斜辺を有し、かつ、長手方向に沿って延びる中心線を中心として対称な外縁形状を有している。また、陳列台本体は、第１傾斜辺と平行な第３傾斜辺と、第２傾斜辺と平行な第４傾斜辺とを有する六角形状又は八角形状の外縁形状を有している。【選択図】図１
2019013276.tif 000002
【特許請求の範囲】
【請求項１】
商品を載置可能な上面を有する陳列台本体と、
前記陳列台本体の下面に取り付けられる回転盤と
を備え、
前記陳列台本体は、長手方向の一端部に向かって先細りとなる方向に傾斜する第１傾斜辺及び第２傾斜辺を有し、かつ、長手方向に沿って延びる中心線を中心として対称な外縁形状を有する
ことを特徴とする商品陳列台。
【請求項２】
前記陳列台本体は、前記第１傾斜辺と平行な第３傾斜辺と、前記第２傾斜辺と平行な第４傾斜辺とを有する六角形状又は八角形状の外縁形状を有している
ことを特徴とする請求項１に記載の商品陳列台。
【請求項３】
前記陳列台本体及び前記回転盤のいずれか一方は、いずれか他方に向けて突出する係止突起を有し、
前記陳列台本体及び前記回転盤のいずれか他方は、前記係止突起が係合可能な複数の係合孔を有し、
前記複数の係合孔は、前記回転盤の回転方向に沿って所定の間隔で離間して設けられており、
前記係止突起が係合する前記係合孔を切り替えることにより、前記陳列台本体の回転位置を変更可能に構成されている
ことを特徴とする請求項１又は２に記載の商品陳列台。
【請求項４】
前記係合孔は、前記回転盤の回転方向に沿って離間して設けられた第１係合孔、第２係合孔及び第３係合孔を備え、
前記第１係合孔、前記第２係合孔及び前記第３係合孔は、該第１係合孔と該第２係合孔とを結ぶ線が前記第１傾斜辺と平行となり、該第１係合孔と該第３係合孔とを結ぶ線が前記第２傾斜辺と平行となる位置に形成されている
ことを特徴とする請求項３に記載の商品陳列台。
【請求項５】
前記回転盤の底面には、該底面に垂直に立設され、かつ、互いに平行な一対の板部を有する取付部が設けられており、
前記係合孔は、前記第１係合孔が前記一対の板部と直交する回転位置に位置する状態において、該一対の板部と平行な方向に位置する第４係合孔及び第５係合孔を有し、
前記第５係合孔は、前記第４係合孔に対して前記回転盤の回転方向に１８０度位相をずらした位置に形成されている
ことを特徴とする請求項４に記載の商品陳列台。
【請求項６】
前記陳列台本体及び前記回転盤のいずれか一方は、いずれか他方に向けて突出する複数の係止突起を有し、
前記陳列台本体及び前記回転盤のいずれか他方は、前記複数の係止突起が選択的に係合可能な係合孔を有し、
前記複数の係止突起は、前記回転盤の回転方向に沿って所定の間隔で離間して設けられており、
前記係合孔に係合する前記係止突起を切り替えることにより、前記陳列台本体の回転位置を変更可能に構成されている
ことを特徴とする請求項１又は２に記載の商品陳列台。
【請求項７】
前記係止突起は、前記回転盤の回転方向に沿って離間して設けられた第１係止突起、第２係止突起及び第３係止突起を備え、
前記第１係止突起、前記第２係止突起及び前記第３係止突起は、該第１係止突起と該第２係止突起とを結ぶ線が前記第１傾斜辺と平行となり、該第１係止突起と該第３係止突起とを結ぶ線が前記第２傾斜辺と平行となる位置に形成されている
ことを特徴とする請求項６に記載の商品陳列台。
【請求項８】
前記回転盤の底面には、該底面に垂直に立設され、かつ、互いに平行な一対の板部を有する取付部が設けられており、
前記係止突起は、前記第１係止突起が前記一対の板部と直交する回転位置に位置する状態において、該一対の板部と平行な方向に位置する第４係止突起及び第５係止突起を有し、
前記第５係止突起は、前記第４係止突起に対して前記回転盤の回転方向に１８０度位相をずらした位置に形成されている
ことを特徴とする請求項７に記載の商品陳列台。
【発明の詳細な説明】
【技術分野】
【０００１】
本発明は、例えばスーパーマーケットやデパート等の量販店において商品を陳列するために用いられる商品陳列台に関するものである。
【背景技術】
【０００２】
従来、スーパーマーケットやデパート等の量販店における冷ケースやワゴン等では、商品陳列の演出効果を高めるために、商品を傾斜状態で陳列させるための傾斜式商品陳列台や（特許文献１等）、商品を雛壇状に陳列させるための雛壇式商品陳列台等が用いられている（特許文献２等）。
【先行技術文献】
【特許文献】
【０００３】
【特許文献１】特開２００４−８４２４号公報
【特許文献２】実用新案登録第３０９６０２３号
【発明の概要】
【発明が解決しようとする課題】
【０００４】
しかしながら、傾斜式商品陳列台を用いた傾斜陳列や、雛壇式商品陳列台を用いた雛壇陳列は、近年ではありふれた陳列方法であるため、購買者の注意を引くほどの演出効果が期待できないという問題がある。
【０００５】
そこで、本発明は、商品陳列の演出効果を高めることが可能な商品陳列台を提供することを目的とする。
【課題を解決するための手段】
【０００６】
上記の目的を達成するため、本発明に係る商品陳列台は、商品を載置可能な上面を有する陳列台本体と、前記陳列台本体の下面に取り付けられる回転盤とを備え、前記陳列台本体は、長手方向の一端部に向かって先細りとなる方向に傾斜する第１傾斜辺及び第２傾斜辺を有し、かつ、長手方向に沿って延びる中心線を中心として対称な外縁形状を有することを特徴とする。
【０００７】
本発明に係る商品陳列台において、前記陳列台本体は、前記第１傾斜辺と平行な第３傾斜辺と、前記第２傾斜辺と平行な第４傾斜辺とを有する六角形状又は八角形状の外縁形状を有することが好ましい。
【０００８】
また、本発明に係る商品陳列台において、前記陳列台本体及び前記回転盤のいずれか一方は、いずれか他方に向けて突出する係止突起を有し、前記陳列台本体及び前記回転盤のいずれか他方は、前記係止突起が係合可能な複数の係合孔を有し、前記複数の係合孔は、前記回転盤の回転方向に沿って所定の間隔で離間して設けられており、前記係止突起が係合する前記係合孔を切り替えることにより、前記陳列台本体の回転位置を変更可能に構成されても良い。
【０００９】
この場合において、前記係合孔は、前記回転盤の回転方向に沿って離間して設けられた第１係合孔、第２係合孔及び第３係合孔を備え、前記第１係合孔、前記第２係合孔及び前記第３係合孔は、該第１係合孔と該第２係合孔とを結ぶ線が前記第１傾斜辺と平行となり、該第１係合孔と該第３係合孔とを結ぶ線が前記第２傾斜辺と平行となる位置に形成されることが好ましい。
【００１０】
また、この場合において、前記回転盤の底面には、該底面に垂直に立設され、かつ、互いに平行な一対の板部を有する取付部が設けられており、前記係合孔は、前記第１係合孔が前記一対の板部と直交する回転位置に位置する状態において、該一対の板部と平行な方向に位置する第４係合孔及び第５係合孔を有し、前記第５係合孔は、前記第４係合孔に対して前記回転盤の回転方向に１８０度位相をずらした位置に形成されることが更に好ましい。
【００１１】
また、本発明に係る商品陳列台において、前記陳列台本体及び前記回転盤のいずれか一方は、いずれか他方に向けて突出する複数の係止突起を有し、前記陳列台本体及び前記回転盤のいずれか他方は、前記複数の係止突起が選択的に係合可能な係合孔を有し、前記複数の係止突起は、前記回転盤の回転方向に沿って所定の間隔で離間して設けられており、前記係合孔に係合する前記係止突起を切り替えることにより、前記陳列台本体の回転位置を変更可能に構成されても良い。
【００１２】
この場合において、前記係止突起は、前記回転盤の回転方向に沿って離間して設けられた第１係止突起、第２係止突起及び第３係止突起を備え、前記第１係止突起、前記第２係止突起及び前記第３係止突起は、該第１係止突起と該第２係止突起とを結ぶ線が前記第１傾斜辺と平行となり、該第１係止突起と該第３係止突起とを結ぶ線が前記第２傾斜辺と平行となる位置に形成されることが好ましい。
【００１３】
また、この場合において、前記回転盤の底面には、該底面に垂直に立設され、かつ、互いに平行な一対の板部を有する取付部が設けられており、前記係止突起は、前記第１係止突起が前記一対の板部と直交する回転位置に位置する状態において、該一対の板部と平行な方向に位置する第４係止突起及び第５係止突起を有し、前記第５係止突起は、前記第４係止突起に対して前記回転盤の回転方向に１８０度位相をずらした位置に形成されることが更に好ましい。
【発明の効果】
【００１４】
本発明によれば、商品陳列の演出効果を高めることが可能な商品陳列台を提供することができる。
【図面の簡単な説明】
【００１５】
【図１】一実施形態に係る商品陳列台を概略的に示す平面斜視図である。
【図２】本実施形態に係る商品陳列台を概略的に示す底面斜視図である。
【図３】本実施形態に係る商品陳列台の分解図である。
【図４】本実施形態に係る陳列台本体を概略的に示す平面図である。
【図５】図５（ａ）は、本実施形態に係る回転盤を概略的に示す平面図であり、図５（ｂ）は、本実施形態に係る回転盤を概略的に示す底面図である。
【図６】図６（ａ）は、陳列台本体の係止突起を回転盤の第１係合孔に係合させた状態を概略的に示す図であり、図６（ｂ）は、陳列台本体の他の係止突起を回転盤の第１係合孔に係合させた状態を概略的に示す図である。
【図７】図７（ａ）は、陳列台本体の係止突起を回転盤の第５係合孔に係合させた状態を概略的に示す図であり、図７（ｂ）は、陳列台本体の係止突起を回転盤の第４係合孔に係合させた状態を概略的に示す図である。
【図８】図８（ａ）は、陳列台本体の係止突起を回転盤の第２係合孔に係合させた状態を概略的に示す図であり、図８（ｂ）は、陳列台本体の係止突起を回転盤の第３係合孔に係合させた状態を概略的に示す図である。
【図９】本実施形態に係る商品陳列台の第１の使用例を示す図である。
【図１０】本実施形態に係る商品陳列台の第２の使用例を示す図である。
【図１１】本実施形態に係る商品陳列台の第３の使用例を示す図である。
【図１２】本実施形態に係る商品陳列台の第４の使用例を示す図である。
【発明を実施するための形態】
【００１６】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１７】
本実施形態に係る商品陳列台１は、図１〜図３に示すように、商品を載置可能な上面を有する陳列台本体２と、陳列台本体２の下面に相対回転可能に取り付けられた回転盤４とを備えており、回転盤４に対して陳列台本体２を回転させることにより、陳列台本体２の向きを自由に変更可能に構成されている。
【００１８】
陳列台本体２は、図１〜図４に示すように、長手方向及び短手方向を有する六角形状に形成されており、長手方向に沿って延びる中心線Ｘ（図４参照）を中心として対称な外縁形状を有している。ここで、「六角形状」とは、各辺の交点が尖った角である構成に限定されず、各辺の交点がＲ状（丸みを帯びた角）である構成を広く含むものとする。
【００１９】
具体的には、陳列台本体２は、図４に示すように、長手方向の一端部に向かって先細りとなる方向に傾斜する第１傾斜辺１１及び第２傾斜辺１２と、長手方向の他端部に向かって先細りとなる方向に傾斜する第３傾斜辺１３及び第４傾斜辺１４と、第１傾斜辺１１の先端及び第２傾斜辺１２の先端を結ぶ第５垂直辺１５と、第３傾斜辺１３の先端及び第４傾斜辺１４の先端を結ぶ第６垂直辺１６とを有している。
【００２０】
第３傾斜辺１３は、図４に示すように、第１傾斜辺１１と平行な辺であり、第４傾斜辺１４は、第２傾斜辺１２と平行な辺である。また、第５垂直辺１５及び第６垂直辺１６は、互いに平行、かつ、陳列台本体２の長手方向と直交する方向に延在している。
【００２１】
第１傾斜辺１１と第４傾斜辺１４とがなす角θ１、及び、第２傾斜辺１２と第３傾斜辺１３とがなす角θ１は、例えば１４４度である。また、第５垂直辺１５と第１傾斜辺１１又は第２傾斜辺１２とがなす角θ２、及び、第６垂直辺１６と第３傾斜辺１３又は第４傾斜辺１４とがなす角θ２は、例えば１０８度である。
【００２２】
陳列台本体２の第１傾斜辺１１〜第４傾斜辺１４、第５垂直辺１５及び第６垂直辺１６には、図１に示すように、それぞれ、上面から上方に向けて延出する仕切り板１７ａ〜１７ｆが立設されている。これら仕切り板１７ａ〜１７ｆは、陳列台本体２に対して着脱可能に構成されると共に、基端を中心として陳列台本体２の内側に折り畳み可能に構成されている。
【００２３】
陳列台本体２の底面には、図２〜図４に示すように、回転盤４を収容可能な収容凹部１８が長手方向に沿って延在するよう形成されている。収容凹部１８には、陳列台本体２に対して回転盤４をねじ止めするための長孔２０が長手方向に沿って形成されている。収容凹部１８は、回転盤４の直径よりも僅かに大きい溝幅と、回転盤４の直よりも大きい長手方向の長さを有しており、溝幅方向に僅かなクリアランスが存在する状態で、回転盤４が長手方向に沿って移動可能、かつ、回転盤４が収容凹部１８内において回転可能に構成されている。
【００２４】
収容凹部１８の長手方向の一端部及び他端部は、回転盤４の曲率と同じ曲率を有する円弧状に形成されると共に、回転盤４の抜け落ちを防止するためのフランジ１９がそれぞれ形成されている。また、収容凹部１８の長手方向の一端部及び他端部には、弾性変形可能な舌片状の弾性片２１ａ，２１ｂと、該弾性片２１ａ，２１ｂにそれぞれ設けられた係止突起２２ａ，２２ｂとが形成されている。係止突起２２ａ，２２ｂは、回転盤４側に向けて突出しており、回転盤４の後述する第１〜第５係合孔３１〜３５のいずれか１つに選択的に嵌入するよう構成されている。
【００２５】
回転盤４は、図１〜図３に示すように、陳列台本体２の収容凹部１８に装着可能な金属製の円盤部材であり、陳列台本体２に対して相対回転可能、かつ、陳列台本体２の収容凹部１８内において長手方向に沿って移動可能な状態で、陳列台本体２の長孔２０にねじ等により着脱可能に取り付けられている。
【００２６】
回転盤４の底面には、図２及び図３に示すように、本実施形態に係る商品陳列台１が設置される冷ケースやワゴン等の商品陳列用什器の枠体等、例えば、冷ケースやワゴンの周壁の上縁部等に万力の原理で取り付け可能に構成された断面コの字状の取付部３０が固設されている。取付部３０は、底面から離間する方向に向けて垂直に立設され、かつ、互いに平行となるよう設けられた一対の板部３０ａ，３０ｂと、一対の板部３０ａ，３０ｂ間を連結し、かつ、回転盤４の底面に固設された連結部３０ｃと、一方の板部３０ａを貫通して設けられたねじ式押圧部材３０ｄとを有している。一対の板部３０ａ，３０ｂは、商品陳列用什器の枠体等に嵌め込み可能な間隔を有するよう互いに離間して設けられている。ねじ式押圧部材３０ｄは、シャフト部に形成されたねじにより他方の板部３０ｂに向けて進退可能に構成されており、一対の板部３０ａ，３０ｂ間に嵌め込まれた商品陳列用什器の枠体等を他方の板部３０ｂに向けて押圧することで、該他方の板部３０ｂとの間で商品陳列用什器の枠体等を挟持するよう構成されている。
【００２７】
回転盤４には、図５に示すように、陳列台本体２の係止突起２２ａ，２２ｂが係合可能な第１〜第５係合孔３１〜３５が貫通して形成されている。第１〜第５係合孔３１〜３５は、回転盤４の回転方向に沿って、同一径の円周Ｃ上に所定の間隔で離間して設けられており、陳列台本体２のいずれか一方の係止突起２２ａ，２２ｂが係合する係合孔を切り替えることにより、陳列台本体２の回転位置を変更可能に構成されている。
【００２８】
具体的には、第１係合孔３１は、図５（ｂ）に示すように、一対の板部３０ａ，３０ｂと直交かつ回転盤４の中心軸を通る線Ｌ１と円周Ｃとの交点となる回転位置に形成されている。第２係合孔３２は、図５（ａ）に示すように、第１係合孔３１が係止突起２２ａ，２２ｂのいずれか一方と係合した状態において、第１係合孔３１と第２係合孔３２とを結ぶ線Ｌ２が第１傾斜辺１１及び第３傾斜辺１３と平行となる回転位置に形成されている。第３係合孔３３は、第１係合孔３１が係止突起２２ａ，２２ｂのいずれか一方と係合した状態において、第１係合孔３１と第３係合孔３３とを結ぶ線Ｌ３が第２傾斜辺１２及び第４傾斜辺１４と平行となる回転位置に形成されている。第４係合孔３４及び第５係合孔３５は、一対の板部３０ａ，３０ｂと平行かつ回転盤４の中心軸を通る線Ｌ４と円周Ｃとの交点となる回転位置に、互いに１８０度位相をずらして形成されている。
【００２９】
以上の構成を備える商品陳列台１は、陳列台本体２の係止突起２２ａ，２２ｂを係合させる係合孔を切り替えることにより、陳列台本体２を様々な向きで位置決めすることが可能である。
【００３０】
具体的には、商品陳列台１は、回転盤４の取付部３０を商品陳列用什器の枠体６に取り付けた状態において、陳列台本体２の係止突起２２ａを回転盤４の第１係合孔３１に係合させることで、図６（ａ）に示すように、商品陳列用什器の枠体６に対して陳列台本体２が垂直で、かつ、商品陳列用什器の枠体６から前方側（顧客側）に大きく延出した陳列スペースを作出することができる。また、商品陳列台１は、回転盤４の取付部３０を商品陳列用什器の枠体６に取り付けた状態において、陳列台本体２の他方の係止突起２２ｂを回転盤４の第１係合孔３１に係合させることで、図６（ｂ）に示すように、商品陳列用什器の枠体６に対して陳列台本体２が垂直で、かつ、商品陳列用什器の枠体６から前方側に僅かに延出した陳列スペースを作出することができる。すなわち、本実施形態に係る商品陳列台１は、第１係合孔３１に係合させる係止突起２２ａ，２２ｂを選択することで、商品陳列用什器の枠体６からの突出量を変更可能に構成されている。
【００３１】
また、商品陳列台１は、回転盤４の取付部３０を商品陳列用什器の枠体６に取り付けた状態において、陳列台本体２の係止突起２２ａ，２２ｂのいずれか一方を回転盤４の第４係合孔３４又は第５係合孔３５に係合させることで、図７（ａ）及び図７（ｂ）に示すように、商品陳列用什器の枠体６に対して陳列台本体２が平行となる陳列スペースを作出することができる。特に、商品陳列台１では、商品陳列用什器の枠体６の屈曲部位に取り付けられた状態において、例えば係止突起２２ｂを第５係合孔３５に係合させた状態から他方の係止突起２２ａを第４係合孔３４に係合させた状態に切り替えることで、商品陳列用什器の側方側への突出量を変更可能に構成されている。
【００３２】
さらに、商品陳列台１は、回転盤４の取付部３０を商品陳列用什器の枠体６に取り付けた状態において、陳列台本体２の係止突起２２ａ，２２ｂのいずれか一方を回転盤４の第２係合孔３２又は第３係合孔３３に係合させることで、図８（ａ）及び図８（ｂ）に示すように、商品陳列用什器の枠体６に対して陳列台本体２が傾斜した陳列スペースを作出することができる。特に、商品陳列台１では、例えば係止突起２２ｂが係合する係合孔を第２係合孔３２から第３係合孔３３に切り替えることで、商品陳列用什器の傾斜方向を変更可能に構成されている。
【００３３】
そして、このように様々な向きで位置決めすることが可能な商品陳列台１によれば、例えば図９〜図１２に示すように、様々な態様で商品の陳列を行うことが可能となるため、従来の商品陳列台と比べ、商品陳列の演出効果を飛躍的に高めることが可能となる。
【００３４】
すなわち、本実施形態に係る商品陳列台１によれば、上述した取り付け態様の他に、例えば図９に示すように、商品陳列用什器の枠体６の角部に取り付けることが可能となるため、デッドスペースとなることが多い商品陳列用什器の角部を陳列スペースとして有効に活用し、商品陳列の演出効果を飛躍的に高めることが可能となる。
【００３５】
また、本実施形態に係る商品陳列台１は、上述のとおり、長手方向の一端部に向かって先細りとなる方向に傾斜する第１傾斜辺１１及び第２傾斜辺１２を有し、かつ、長手方向に沿って延びる中心線Ｘを中心として対称な外縁形状を有することにより、複数の商品陳列台１を隣接して配置することが可能となる。そして、このように、複数の商品陳列台１を隣接して配置することで、各商品陳列台１によって個々の陳列スペースを作出しつつ、複数の商品陳列台１が一体となってまとまりある陳列スペースを作出することが可能となる。これにより、例えば、一部の商品陳列台１にメインの食材等を陳列し、他の商品陳列台１に該食材に使用する調味料や付け合せの食材等を陳列する等の陳列態様が可能となり、顧客の購買意欲を飛躍的に向上させることが可能となる。
【００３６】
具体的には、例えば図１０に示すように、商品陳列用什器の枠体６に対して垂直に取り付けた商品陳列台１ａを挟むように、互いに反対方向に傾斜した商品陳列台１ｂ，１ｃを配置することにより、商品陳列用什器の前方側（顧客側）に向けて広がる扇形の陳列スペース（図１０参照）や、商品陳列用什器の前方側（顧客側）に向けて収束する扇形の陳列スペース（図示せず）等を作出することが可能となる。また、例えば図１１に示すように、商品陳列用什器の枠体６に対して同一方向に傾斜した状態の商品陳列台１ｂを複数並べて設置する態様や、例えば図１２に示すように、商品陳列用什器の枠体６に対して平行な状態の商品陳列台１ｄを複数並べて設置する態様等とすることも可能となる。
【００３７】
本発明に係る商品陳列台は、上述した実施形態に限定されるものではなく、本発明の技術思想を逸脱しない範囲内において種々の改変を行なうことができる。
【００３８】
例えば、上述した実施形態では、陳列台本体が六角形の外縁形状を有するものとして説明したが、これに限定されず、長手方向の一端部に向かって先細りとなる方向に傾斜する第１傾斜辺及び第２傾斜辺を有し、かつ、長手方向に沿って延びる中心線を中心として対称な外縁形状を有するものであれば、種々の形状を採用することが可能である。例えば、三角形状や五角形状に形成されても良いし、第１傾斜辺と平行な第３傾斜辺と、第２傾斜辺と平行な第４傾斜辺とを有する八角形状に形成されても良い。
【００３９】
上述した実施形態では、商品陳列用什器の枠体、例えば冷ケースやワゴンの周壁の上縁部に取り付けられるものとして説明したが、これに限定されるものではない。例えば、商品陳列用什器の商品陳列面上に台座を介して設置される態様としても良いし、回転盤を台座部と該台座部に対して回転可能な回転部との二重構造に構成し、該回転盤を商品陳列用什器の商品陳列面上に直接載置させる態様としても良い。
【００４０】
上述した実施形態では、陳列台本体に係止突起が形成され、回転盤に第１〜第５係合孔が形成されることで、回転盤に対して陳列台本体を多段的に回転可能な構成を例に挙げて説明したが、これに限定されず、陳列台本体に第１〜第５係合孔が形成され、回転盤に係止突起が形成される構成としても良い。また、係合孔が複数形成される構成に代えて、係止突起が複数形成される構成（上述した係止突起を係合孔に置き換え、上述した第１〜第５係合孔を第１〜第５係止突起に置き換えた構成）としても良い。なお、回転盤又は陳列台本体に形成される複数の係合孔（又は複数の係止突起）は、上述した構成に限定されず、種々の位置及び個数に変更することが可能である。
【００４１】
また、これら係止突起と係合孔とにより位置決めする構成に代えて、例えば、回転盤の周縁に歯車を形成すると共に、該歯車の歯間に嵌合可能な突起を陳列台本体側に設け、該突起が嵌合する歯を切り替えることで多段的に回転可能な構成としても良いし、別部材として設けられたピン部材等により、回転盤に対する陳列台本体の回転位置を位置決めする構成としても良い。さらに、陳列台本体及び回転盤に位置決め機構が設けられず、回転盤に対して陳列台本体が自由に回転可能な構成としても良いし、陳列台本体に対して回転盤が相対回転不能に取り付けられる構成としても良い。後者の場合には、例えば、上述した台座部と回転部との二重構造を回転盤に採用することが可能である。
【符号の説明】
【００４２】
１，１ａ，１ｂ，１ｃ，１ｄ  商品陳列台、２  陳列台本体、４  回転盤、１１  第１傾斜辺、１２  第２傾斜辺、１３  第３傾斜辺、１４  第４傾斜辺、５  第５垂直辺、
１６  第６垂直辺、２２ａ，２２ｂ  係止突起、３０  取付部、３１  第１係合孔、３２  第２係合孔、３３  第３係合孔、３４  第４係合孔、３５  第５係合孔、Ｘ    中心線
【図１】
2019013276.tif 000003
【図２】
2019013276.tif 000004
【図３】
2019013276.tif 000005
【図４】
2019013276.tif 000006
【図５】
2019013276.tif 000007
【図６】
2019013276.tif 000008
【図７】
2019013276.tif 000009
【図８】
2019013276.tif 000010
【図９】
2019013276.tif 000011
【図１０】
2019013276.tif 000012
【図１１】
2019013276.tif 000013
【図１２】
2019013276.tif 000014